【手続補正書】
【提出日】平成19年7月13日(2007.7.13)
【手続補正１】
【補正対象書類名】明細書
【補正対象項目名】特許請求の範囲
【補正方法】変更
【補正の内容】
【特許請求の範囲】
【請求項１】  供血者から採取した血液を複数の血液成分に分離するとともに分離された血液成分を採取する血液成分採取装置であって、
供血者から血液を採取する採血手段と、
前記血液中に抗凝固剤を添加する抗凝固剤供給手段と、
内部に貯血空間を有するローターと、該ローターの回転により前記採血手段により採取された血液を前記貯血空間内で複数の血液成分に遠心分離する遠心分離器と、
前記貯血空間に連通し、所定の血液成分を採取する血液成分採取バッグと、
前記所定の血液成分の採取量を検出する検出手段と、
前記供血者に関する情報を入力する入力手段と、
前記血液成分採取装置の作動を制御する制御手段とを有し、
前記制御手段は、前記供血者に関する情報に基づき、前記所定の血液成分の目標とする採取量を設定することを特徴とする血液成分採取装置。
【請求項２】  前記供血者から採取された血液を遠心分離し、前記所定の血液成分を、前記血液成分採取バッグ内に移送する血液成分採取工程と、
残りの血液成分を前記供血者に返還する血液成分返還工程とを有する血液成分採取操作を複数サイクル行なうよう作動し、
前記所定の血液成分の目標とする採取量に基づき、前記血液成分採取操作のサイクル数を決定する請求項１に記載の血液成分採取装置。
【請求項３】  前記血液成分採取バッグ内に採取された前記所定の血液成分の現在の採取量が、前記所定の血液成分の目標とする採取量の７０〜１００％に到達した場合、あるいは、前記血液成分採取操作を前記サイクル数行なった場合には、前記血液成分採取操作を終了する請求項２に記載の血液成分採取装置。
【請求項４】  前記所定の血液成分の採取量には、抗凝固剤の混入量が含まれていない請求項１ないし３のいずれかに記載の血液成分採取装置。
【請求項５】  前記供血者に関する情報は、前記供血者の性別、体重および身長のうちの少なくとも１つを含む請求項１ないし４のいずれかに記載の血液成分採取装置。
【請求項６】  前記所定の血液成分は、主に血漿である請求項１ないし５のいずれかに記載の血液成分採取装置。
【手続補正２】
【補正対象書類名】明細書
【補正対象項目名】０００８
【補正方法】変更
【補正の内容】
【０００８】
【課題を解決するための手段】
このような目的は、下記（１）〜（８）の本発明により達成される。
【手続補正３】
【補正対象書類名】明細書
【補正対象項目名】０００９
【補正方法】変更
【補正の内容】
【０００９】
（１）  供血者から採取した血液を複数の血液成分に分離するとともに分離された血液成分を採取する血液成分採取装置であって、供血者から血液を採取する採血手段と、前記血液中に抗凝固剤を添加する抗凝固剤供給手段と、内部に貯血空間を有するローターと、該ローターの回転により前記採血手段により採取された血液を前記貯血空間内で複数の血液成分に遠心分離する遠心分離器と、前記貯血空間に連通し、所定の血液成分を採取する血液成分採取バッグと、前記所定の血液成分の採取量を検出する検出手段と、前記供血者に関する情報を入力する入力手段と、前記血液成分採取装置の作動を制御する制御手段とを有し、前記制御手段は、前記供血者に関する情報に基づき、前記所定の血液成分の目標とする採取量を設定することを特徴とする血液成分採取装置。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
（２）  前記供血者から採取された血液を遠心分離し、前記所定の血液成分を、前記血液成分採取バッグ内に移送する血液成分採取工程と、残りの血液成分を前記供血者に返還する血液成分返還工程とを有する血液成分採取操作を複数サイクル行なうよう作動し、前記所定の血液成分の目標とする採取量に基づき、前記血液成分採取操作のサイクル数を決定する上記（１）に記載の血液成分採取装置。
【手続補正６】
【補正対象書類名】明細書
【補正対象項目名】００１２
【補正方法】変更
【補正の内容】
【００１２】
（３）  前記血液成分採取バッグ内に採取された前記所定の血液成分の現在の採取量が、前記所定の血液成分の目標とする採取量の７０〜１００％に到達した場合、あるいは、前記血液成分採取操作を前記サイクル数行なった場合には、前記血液成分採取操作を終了する上記（２）に記載の血液成分採取装置。
【手続補正７】
【補正対象書類名】明細書
【補正対象項目名】００１３
【補正方法】変更
【補正の内容】
【００１３】
（４）  前記所定の血液成分の採取量には、抗凝固剤の混入量が含まれていない上記（１）ないし（３）のいずれかに記載の血液成分採取装置。
【手続補正８】
【補正対象書類名】明細書
【補正対象項目名】００１４
【補正方法】変更
【補正の内容】
【００１４】
（５）前記所定の血液成分の目標とする採取量を表示する表示手段を有する上記（１）ないし（４）のいずれかに記載の血液成分採取装置。
【手続補正９】
【補正対象書類名】明細書
【補正対象項目名】００１５
【補正方法】変更
【補正の内容】
【００１５】
（６）  前記表示手段は、前記血液成分採取バッグ内に採取された前記所定の血液成分の現在の採取量を表示する上記（５）に記載の血液成分採取装置。
【手続補正１０】
【補正対象書類名】明細書
【補正対象項目名】００１６
【補正方法】変更
【補正の内容】
【００１６】
（７）  前記供血者に関する情報は、前記供血者の性別、体重および身長のうちの少なくとも１つを含む上記（１）ないし（６）のいずれかに記載の血液成分採取装置。
【手続補正１１】
【補正対象書類名】明細書
【補正対象項目名】００１７
【補正方法】変更
【補正の内容】
【００１７】
（８）  前記所定の血液成分は、主に血漿である上記（１）ないし（７）のいずれかに記載の血液成分採取装置。
【手続補正１２】
【補正対象書類名】明細書
【補正対象項目名】００７１
【補正方法】変更
【補正の内容】
【００７１】
なお、以下の説明では、血液成分採取装置１の所定の血液成分の目標とする採取量（目標血漿採取量）を、抗凝固剤を除いた血漿自体の目標とする採取量（真の目標血漿採取量）とする場合を一例として説明する。
【手続補正１３】
【補正対象書類名】明細書
【補正対象項目名】０１５１
【補正方法】変更
【補正の内容】
【０１５１】
このような血液成分採取装置１では、ドナーの性別、体重および身長のうちの少なくとも１つを含むドナー情報に基づき、目標血漿採取量を設定するので、ドナーに応じた適正な量の血漿を採取することができる。
【手続補正１４】
【補正対象書類名】明細書
【補正対象項目名】０１５２
【補正方法】削除
【補正の内容】
【手続補正１５】
【補正対象書類名】明細書
【補正対象項目名】０１５８
【補正方法】変更
【補正の内容】
【０１５８】
【発明の効果】
以上説明したように、本発明の血液成分採取装置によれば、供血者に関する情報に基づき、所定の血液成分の目標とする採取量を設定するので、供血者に応じた適正な量の所定の血液成分を採取することができる。
【手続補正１６】
【補正対象書類名】明細書
【補正対象項目名】０１５９
【補正方法】削除
【補正の内容】
【手続補正１７】
【補正対象書類名】明細書
【補正対象項目名】０１６０
【補正方法】変更
【補正の内容】
【０１６０】
特に、所定の血液成分の目標とする採取量を、抗凝固剤を除いた所定の血液成分自体の目標とする採取量とすることにより、供血者の体外血液循環量が許容体外循環量から逸脱してしまうのを好適に防止し、安全性の向上を図ることができ、また、供血者からの採取が許容される量に近い量の血液成分を採取することができるので、経済面での向上も図ることができる。